(57)【要約】  いくつかの状況では、ＵＬ  ＤＭ−ＲＳの送信のために使用されるアップリンクリソース（例えば、オーバーヘッド）が、過大であり、利用可能なアップリンクスペクトルの不要な量を消費することがある。ＤＭ−ＲＳの数と共有データチャネルの信頼性との間のバランスがある間、ＵＬ  ＤＭ−ＲＳオーバーヘッドの低減は、ＵＥがＵＬサブフレーム中での送信の数を増加させることを可能にし得る。説明された様々なＤＭ−ＲＳ低減技法は、概して、リソースブロックごとに、またはリソースユニットのペアごとにＵＬ  ＤＭ−ＲＳの数を低減することと、ＵＬ  ＤＭ−ＲＳが低減されるとき、アップリンク制御チャネル情報の送信に適応することとを含む。さらに開示する技法は、アップリンク共有チャネル中のＵＣＩの数を調整することに関する。【選択図】図８
2017514366.tif 000002
【特許請求の範囲】
【請求項１】
アップリンクサブフレームのために復調基準信号（ＤＭ−ＲＳ）オーバーヘッド低減方式を適用すべきかどうかを決定することと、
前記ＤＭ−ＲＳオーバーヘッド低減方式が適用されるかどうかに基づいて、前記アップリンクサブフレームのためにアップリンク制御情報（ＵＣＩ）送信方式を識別することと、
前記ＵＣＩ送信方式を使用して、前記アップリンクサブフレーム中で前記ＵＣＩを送信することと
を備える、ワイヤレス通信の方法。
【請求項２】
前記ＤＭ−ＲＳオーバーヘッド低減方式の指示を受信することをさらに備え、ここにおいて、前記決定することは、前記ＤＭ−ＲＳオーバーヘッド低減方式の前記指示に基づく、請求項１に記載の方法。
【請求項３】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１に記載の方法。
【請求項４】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１に記載の方法。
【請求項５】
前記アップリンクサブフレーム中でＵＣＩ送信のために割り振られた前記リソースは、物理アップリンク共有チャネル（ＰＵＳＣＨ）を搬送するリソースを備える、請求項４に記載の方法。
【請求項６】
前記ＤＭ−ＲＳオーバーヘッド低減方式を適用すべきかどうかを決定することは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、
前記ＤＭ−ＲＳオーバーヘッド低減方式を適用しないと決定することを備える、請求項１に記載の方法。
【請求項７】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１に記載の方法。
【請求項８】
第２のアップリンクサブフレームのためのオーバーヘッド低減がない前記ＤＭ−ＲＳ方式の指示を受信することをさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１に記載の方法。
【請求項９】
前記ＵＣＩは、前記アップリンクサブフレーム中の複数のスロットのうちの１つにのみマッピングされる、請求項１に記載の方法。
【請求項１０】
アップリンクサブフレームのために復調基準信号（ＤＭ−ＲＳ）オーバーヘッド低減方式を適用すべきかどうかを決定するための手段と、
前記ＤＭ−ＲＳオーバーヘッド低減方式が適用されるかどうかに基づいて、前記アップリンクサブフレームのためにアップリンク制御情報（ＵＣＩ）送信方式を識別するための手段と、
前記ＵＣＩ送信方式を使用して、前記アップリンクサブフレーム中で前記ＵＣＩを送信するための手段と
を備える、ワイヤレス通信のための装置。
【請求項１１】
前記ＤＭ−ＲＳオーバーヘッド低減方式の指示を受信するための手段をさらに備え、ここにおいて、前記決定は、前記ＤＭ−ＲＳオーバーヘッド低減方式の前記指示に基づく、請求項１０に記載の装置。
【請求項１２】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１０に記載の装置。
【請求項１３】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１０に記載の装置。
【請求項１４】
前記アップリンクサブフレーム中でＵＣＩ送信のために割り振られた前記リソースは、物理アップリンク共有チャネル（ＰＵＳＣＨ）を搬送するリソースを備える、請求項１３に記載の装置。
【請求項１５】
前記ＤＭ−ＲＳオーバーヘッド低減方式を適用すべきかどうかを決定するための前記手段は、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、
前記ＤＭ−ＲＳオーバーヘッド低減方式を適用しないと決定するように構成される、請求項１０に記載の装置。
【請求項１６】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１０に記載の装置。
【請求項１７】
第２のアップリンクサブフレームのためのオーバーヘッド低減がない前記ＤＭ−ＲＳ方式の指示を受信するための手段をさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１０に記載の装置。
【請求項１８】
前記ＵＣＩは、前記アップリンクサブフレーム中の複数のスロットのうちの１つにのみマッピングされる、請求項１０に記載の装置。
【請求項１９】
メモリと、
前記メモリに結合された少なくとも１つのプロセッサと
を備え、前記少なくとも１つのプロセッサは、
アップリンクサブフレームのために復調基準信号（ＤＭ−ＲＳ）オーバーヘッド低減方式を適用すべきかどうかを決定することと、
前記ＤＭ−ＲＳオーバーヘッド低減方式が適用されるかどうかに基づいて、前記アップリンクサブフレームのためにアップリンク制御情報（ＵＣＩ）送信方式を識別することと、
前記ＵＣＩ送信方式を使用して、前記アップリンクサブフレーム中で前記ＵＣＩを送信することと
を行うように構成される、ワイヤレス通信のための装置。
【請求項２０】
前記少なくとも１つのプロセッサは、前記ＤＭ−ＲＳオーバーヘッド低減方式の指示を受信するようにさらに構成され、ここにおいて、前記決定は、前記ＤＭ−ＲＳオーバーヘッド低減方式の前記指示に基づく、請求項１９に記載の装置。
【請求項２１】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１９に記載の装置。
【請求項２２】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１９に記載の装置。
【請求項２３】
前記アップリンクサブフレーム中でＵＣＩ送信のために割り振られた前記リソースは、物理アップリンク共有チャネル（ＰＵＳＣＨ）を搬送するリソースを備える、請求項２２に記載の装置。
【請求項２４】
前記ＤＭ−ＲＳオーバーヘッド低減方式を適用すべきかどうかを決定することは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、
前記ＤＭ−ＲＳオーバーヘッド低減方式を適用しないと決定することを備える、請求項１９に記載の装置。
【請求項２５】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１９に記載の装置。
【請求項２６】
前記少なくとも１つのプロセッサは、第２のアップリンクサブフレームのためのオーバーヘッド低減がない前記ＤＭ−ＲＳ方式の指示を受信するようにさらに構成され、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１９に記載の装置。
【請求項２７】
前記ＵＣＩは、前記アップリンクサブフレーム中の複数のスロットのうちの１つにのみマッピングされる、請求項１９に記載の装置。
【請求項２８】
アップリンクサブフレームのために復調基準信号（ＤＭ−ＲＳ）オーバーヘッド低減方式を適用すべきかどうかを決定することと、
前記ＤＭ−ＲＳオーバーヘッド低減方式が適用されるかどうかに基づいて、前記アップリンクサブフレームのためにアップリンク制御情報（ＵＣＩ）送信方式を識別することと、
前記ＵＣＩ送信方式を使用して、前記アップリンクサブフレーム中で前記ＵＣＩを送信することと
を行うためのコードを備えるコンピュータ可読媒体
を備える、コンピュータプログラム製品。
【発明の詳細な説明】
【関連出願の相互参照】
【０００１】
[0001]  本出願は、２０１４年３月２７日に出願された「SOME DETAILS FOR UL DM-RS OVERHEAD REDUCTION IN LTE」と題する米国仮出願第６１／９７１，４６５号、および２０１５年２月１０日に出願された「METHODS AND APPARATUS FOR UL DM-RS OVERHEAD REDUCTION」と題する米国特許出願第１４／６１８，７６７号の利益を主張するもので、これら全体が参照により本明細書に明確に組み込まれる。
【技術分野】
【０００２】
[0002]  本開示は、一般に通信システムに関し、より詳細には、ＬＴＥ（登録商標）におけるＵＬ  ＤＭ−ＲＳオーバーヘッド低減の適用に関する。
【背景技術】
【０００３】
[0003]  ワイヤレス通信システムは、電話、ビデオ、データ、メッセージング、およびブロードキャストなどの様々な電気通信サービスを提供するために広く展開される。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これら多元接続技術は様々な電気通信規格において採用され、異なるワイヤレスデバイスが都市、国家、地域、さらには地球規模で通信することを可能にする共通プロトコルを提供する。新生の電気通信規格の一例はロングタームエボリューション（ＬＴＥ：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上でＯＦＤＭＡを使用し、アップリンク（ＵＬ）上でＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計される。しかしながら、モバイルブロードバンドアクセスに対する需要が増加し続けるにつれて、ＬＴＥ技術のさらなる改善が必要である。好ましくは、これら改善は、他の多元接続技術と、これら技術を採用する電気通信規格とに適用可能であるべきである。ＬＴＥ規格では、ＵＬサブフレーム中でＵＥによって送信されるＵＬ復調基準信号（ＤＭ−ＲＳ：demodulation reference signal）が、一般に、固定オーバーヘッドを有する。例えば、ＵＬ  ＤＭ−ＲＳは、サイクリックプレフィックス（ＣＰ：cyclic prefix）タイプの場合、固定シンボル位置において送信され得る。その上、ＵＥは、ＵＬサブフレーム中でアップリンク制御情報（ＵＣＩ：uplink control information）をも基地局に送信し得る。
【発明の概要】
【０００５】
[0005]  いくつかの状況では、ＵＬ  ＤＭ−ＲＳの送信のために使用されるアップリンクリソース（例えば、オーバーヘッド）が、過大であり、利用可能なアップリンクスペクトルの不要な量を消費することがある。ＤＭ−ＲＳの数と共有データチャネルの信頼性との間のバランスがある間、ＵＬ  ＤＭ−ＲＳオーバーヘッドの低減は、ＵＥがＵＬサブフレーム中での送信の数を増加させることを可能にし得る。説明された様々なＤＭ−ＲＳ低減技法は、一般に、リソースブロックごとに、またはリソースユニットのペアごとにＵＬ  ＤＭ−ＲＳの数を低減することと、ＵＬ  ＤＭ−ＲＳが低減されるとき、アップリンク制御チャネル情報の送信に適応することとを含む。さらに開示する技法は、アップリンク共有チャネル中のＵＣＩの数を調整することに関する。
【０００６】
[0006]  従って、本開示の一態様では、方法、コンピュータプログラム製品、および装置が提供される。本装置は、アップリンクサブフレームのためにＤＭ−ＲＳオーバーヘッド低減方式を適用すべきかどうかを決定し、ＤＭ−ＲＳオーバーヘッド低減方式が適用されるかどうかに基づいて、アップリンクサブフレームのためにＵＣＩ送信方式を識別し、ＵＣＩ送信方式を使用して、アップリンクサブフレーム中でＵＣＩを送信し得る。
【図面の簡単な説明】
【０００７】
【図１】ネットワークアーキテクチャの一例を示す図である。
【図２】アクセスネットワークの一例を示す図である。
【図３】ＬＴＥにおけるＤＬフレーム構造の一例を示す図である。
【図４】ＬＴＥにおけるＵＬフレーム構造の一例を示す図である。
【図５】ユーザプレーンおよび制御プレーンのための無線プロトコルアーキテクチャの一例を示す図である。
【図６】アクセスネットワーク中の発展型ノードＢおよびユーザ機器の一例を示す図である。
【図７】異種ネットワーク中の範囲拡大セルラー領域を示す図である。
【図８】ＵＥのＵＬサブフレームを示す図である。
【図９】ワイヤレス通信の方法のフローチャートである。
【図１０】例示的な装置における異なるモジュール／手段／構成要素間のデータフローを示す概念データフロー図である。
【図１１】処理システムを採用する装置のためのハードウェア実施の一例を示す図である。
【詳細な説明】
【０００８】
[0018]  添付の図面に関して以下に記載される詳細な説明は様々な構成の記述を意図するものであって、本明細書で説明された概念が実践され得る構成のみを表すことを意図しない。詳細な説明は、様々な概念の完全な理解を与えるための具体的な詳細を含む。但し、これら概念がこれらの具体的な詳細なしに実施され得ることは当業者に明らかであろう。いくつかの事例では、よく知られる構造および構成要素がそのような概念を不明瞭にしないようにブロック図の形式で示される。
【０００９】
[0019]  次に、様々な装置および方法に関して電気通信システムのいくつかの態様が提示される。これら装置および方法は、以下の詳細な説明において説明され、（「要素」と総称される）様々なブロック、モジュール、構成要素、回路、ステップ、プロセス、アルゴリズムなどによって添付の図面に例示される。これら要素は、電子ハードウェア、コンピュータソフトウェア、またはこれらの任意の組合せを使用して実施され得る。そのような要素がハードウェアとして実施されるか、ソフトウェアとして実施されるかは、特定の適用例および全体的なシステムに課される設計制約に依存する。
【００１０】
[0020]  例として、要素、または要素の任意の部分、または要素の任意の組合せは、１つまたは複数のプロセッサを含む「処理システム」を用いて実施され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明された様々な機能を行うように構成される他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0021]  従って、１つまたは複数の例示的な実施形態では、説明された機能が、ハードウェア、ソフトウェア、ファームウェア、またはこれらの任意の組合せで実施され得る。ソフトウェアで実施される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１２】
[0022]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続できるが、簡単のために、これらのエンティティ／インターフェースは図示されない。図示のように、ＥＰＳはパケット交換サービスを提供するが、当業者が容易に諒解するように、本開示全体にわたって提示される様々な概念は、回線交換サービスを提供するネットワークに拡張され得る。
【００１３】
[0023]  Ｅ−ＵＴＲＡＮは、発展型ノードＢ（ｅＮＢ：evolved Node B）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを提供する。ｅＮＢ１０６は、バックホール（例えば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（例えば、変調およびコーディング方式（ＭＣＳ：modulation and coding scheme））を決定する。ＭＣＥ１２８は別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを提供する。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0024]  ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。一般に、ＭＭＥ１１２はベアラおよび接続管理を提供する。全てのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振り並びに他の機能を提供する。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を提供し得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（例えば、１０６、１０８）にＭＢＭＳトラフィックを配信するために使用され得、セッション管理（開始／
停止）と、ｅＭＢＭＳ関係の課金情報を収集することとを担当し得る。
【００１５】
[0025]  図２は、ＬＴＥネットワークアーキテクチャにおけるアクセスネットワーク２００の一例を示す図である。この例では、アクセスネットワーク２００が、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ））、ピコセル、マイクロセル、またはリモートラジオヘッド（ＲＲＨ）であり得る。マクロｅＮＢ２０４は各々、該当するセル２０２に割り当てられ、セル２０２中の全てのＵＥ２０６にＥＰＣ１１０へのアクセスポイントを提供するように構成される。アクセスネットワーク２００のこの例には集中型コントローラがないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、全ての無線関係機能を担当する。ｅＮＢは１つまたは複数の（例えば、３つの）（セクタとも呼ばれる）セルをサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書で同義で使用されることがある。
【００１６】
[0026]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示される様々な概念はＬＴＥ適用例に好適である。但し、これら概念は、他の変調および多元接続技法を採用する他の電気通信規格に容易に拡張され得る。例として、これら概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これら概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、並びに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載される。ＣＤＭＡ２０００およびＵＭＢは、３ＧＰＰ２団体からの文書に記載される。採用される実際のワイヤレス通信規格および多元接続技術は、特定の適用例およびシステムに課される全体的な設計制約に依存することになる。
【００１７】
[0027]  ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１８】
[0028]  空間多重化は、一般に、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0029]  以下の詳細な説明では、アクセスネットワークの様々な態様が、ＤＬ上でＯＦＤＭをサポートするＭＩＭＯシステムを参照して説明される。ＯＦＤＭは、ＯＦＤＭシンボル内のいくつかのサブキャリアを介してデータを変調するスペクトラム拡散技法である。サブキャリアは正確な周波数で離間する。離間は、受信機がサブキャリアからデータを復元することを可能にする「直交性（orthogonality）」を提供する。時間領域では、ＯＦＤＭシンボル間干渉をなくすために、ガードインターバル（例えば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0030]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックが、合計８４個のリソース要素について、周波数領域中に１２個の連続するサブキャリアを含み、時間領域中に７個の連続するＯＦＤＭシンボルを含む。拡張サイクリックプレフィックスの場合、リソースブロックが、合計７２個のリソース要素について、周波数領域中に１２個の連続するサブキャリアを含み、時間領域中に６個の連続するＯＦＤＭシンボルを含む。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。従って、ＵＥが受信するリソースブロックが多いほど、また変調方式が高いほど、ＵＥのデータレートは高くなる。
【００２１】
[0031]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれない全てのリソースブロックを含み得る。ＵＬフレーム構造は連続サブキャリアを含むデータセクションをもたらし、これは単一のＵＥがデータセクション中の連続サブキャリアの全てを割り当てられることを可能にし得る。
【００２２】
[0032]  ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0033]  リソースブロックのセットが、初期システムアクセスを行って、物理ランダムアクセスチャネル（ＰＲＡＣＨ：physical random access channel）４３０中でＵＬ同期を達成するために使用され得る。ＰＲＡＣＨ４３０は、ランダムシーケンスを搬送し、何れのＵＬデータ／シグナリングも搬送できない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２４】
[0034]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示される。レイヤ１（Ｌ１レイヤ）は最下位レイヤであり、様々な物理レイヤ信号処理機能を実施する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0035]  ユーザプレーンにおいて、Ｌ２レイヤ５０８は、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含み、これらはネットワーク側のｅＮＢにおいて終端される。図示されないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含むＬ２レイヤ５０８の上にいくつかの上位レイヤを有し得る。
【００２６】
[0036]  ＰＤＣＰサブレイヤ５１４は、異なる無線ベアラと論理チャネルとの間の多重化を提供する。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを提供する。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを提供する。ＭＡＣサブレイヤ５１０は、論理チャネルとトランスポートチャネルとの間の多重化を提供する。ＭＡＣサブレイヤ５１０はまた、ＵＥの間で１つのセル中の様々な無線リソース（例えば、リソースブロック）を割り振ることを担当する。ＭＡＣサブレイヤ５１０はまたＨＡＲＱ動作を担当する。
【００２７】
[0037]  制御プレーンにおいて、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（例えば、無線ベアラ）を取得することと、ｅＮＢとＵＥとの間のＲＲＣシグナリングを使用して下位レイヤを構成することとを担当する。
【００２８】
[0038]  図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実施する。ＤＬでは、コントローラ／プロセッサ６７５が、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを提供する。コントローラ／プロセッサ６７５はまた、ＨＡＲＱ動作と、紛失パケットの再送信と、ＵＥ６５０へのシグナリングとを担当する。
【００２９】
[0039]  送信（ＴＸ）プロセッサ６１６は、Ｌ１レイヤ（すなわち、物理レイヤ）のための様々な信号処理機能を実施する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（例えば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、並びに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に提供され得る。各送信機６１８ＴＸは、送信のために該当する空間ストリームでＲＦキャリアを変調し得る。
【００３０】
[0040]  ＵＥ６５０において、各受信機６５４ＲＸは、それの該当するアンテナ６５２を通して信号を受信する。各受信機６５４ＲＸは、ＲＦキャリア上に変調された情報を復元し、この情報を受信（ＲＸ）プロセッサ６５６に提供する。ＲＸプロセッサ６５６はＬ１レイヤの様々な信号処理機能を実施する。ＲＸプロセッサ６５６は、ＵＥ６５０に宛てられた任意の空間ストリームを復元するために、情報に対して空間処理を行い得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に提供される。
【００３１】
[0041]  コントローラ／プロセッサ６５９はＬ２レイヤを実施する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９が、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを提供する。上位レイヤパケットは、次いで、Ｌ２レイヤの上の全てのプロトコルレイヤを表すデータシンク６６２に提供される。また、様々な制御信号がＬ３処理のためにデータシンク６６２に提供され得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３２】
[0042]  ＵＬでは、データソース６６７が、コントローラ／プロセッサ６５９に上位レイヤパケットを提供するために使用される。データソース６６７は、Ｌ２レイヤの上の全てのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを提供することによって、ユーザプレーンおよび制御プレーンのためのＬ２レイヤを実施する。コントローラ／プロセッサ６５９はまた、ＨＡＲＱ動作と、紛失パケットの再送信と、ｅＮＢ６１０へのシグナリングとを担当する。
【００３３】
[0043]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に提供され得る。各送信機６５４ＴＸは、送信のために該当する空間ストリームでＲＦキャリアを変調し得る。
【００３４】
[0044]  ＵＬ送信は、ＵＥ６５０における受信機機能に関して説明された方法と同様の方法でｅＮＢ６１０において処理される。各受信機６１８ＲＸは、それの該当するアンテナ６２０を通して信号を受信する。各受信機６１８ＲＸは、ＲＦキャリア上に変調された情報を復元し、この情報をＲＸプロセッサ６７０に提供する。ＲＸプロセッサ６７０はＬ１レイヤを実施し得る。
【００３５】
[0045]  コントローラ／プロセッサ６７５はＬ２レイヤを実施する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５が、ＵＥ６５０からの上位レイヤパケットを復元するために、トランスポートチャネルと論理チャネルとの間の多重分離と、パケットリアセンブリと、復号と、ヘッダ復元と、制御信号処理とを提供する。コントローラ／プロセッサ６７５からの上位レイヤパケットはコアネットワークに提供され得る。コントローラ／プロセッサ６７５はまた、ＨＡＲＱ動作をサポートするためにＡＣＫおよび／またはＮＡＣＫプロトコルを使用する誤り検出を担当する。
【００３６】
[0046]  図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって行われる干渉消去とによってセルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が、範囲拡大セルラー領域７０３に入るとき、マクロｅＮＢ７１０ａからのＵＥ７２０のハンドオフを受け入れることが可能になる。
【００３７】
[0047]  図８は、ＵＥのＵＬサブフレーム８００を示す図である。一態様では、図８に示されるように、ＵＥが、ＵＬサブフレーム８００の１つまたは複数のシンボル（例えば、シンボル８０２および８０４）中でＵＬ復調基準信号（ＤＭ−ＲＳ）を基地局に送信し得る。ＵＥは、さらに、アップリンク制御情報（ＵＣＩ）を基地局に送信し得る。例えば、ＵＣＩは、スケジューリング要求（ＳＲ：scheduling request）、チャネル品質インジケータ（ＣＱＩ：channel quality indicator）、プリコーディング行列インジケータ（ＰＭＩ：precoding matrix indicator）、プリコーディングタイプ指示（ＰＴＩ：precoding type indication）、ランクインジケータ（ＲＩ：rank indicator）、および／あるいは肯定応答（ＡＣＫ）または否定応答（ＮＡＣＫ）を含み得る。ＬＴＥ規格では、ＵＬ  ＤＭ−ＲＳが、一般に、固定オーバーヘッドを有する。例えば、図８に示されるように、ＵＬ  ＤＭ−ＲＳは、サイクリックプレフィックス（ＣＰ）タイプの場合、固定シンボル位置において送信される。一態様では、ＵＣＩが、ＰＵＳＣＨ上でピギーバックされて、シングルキャリア（ＳＣ）波形を維持し（例えば、ＵＣＩは、ＰＵＳＣＨと並列なＰＵＣＣＨ上で送信される代わりに、ＰＵＳＣＨ上で送信され得る）、同じスロット中でＰＵＣＣＨとＰＵＳＣＨの両方を送信することを回避し得る。ＰＵＳＣＨ上でＵＣＩをピギーバックすることは、ＵＥがＵＣＩを送信できるレートを増加させることの利益を有する。しかしながら、ＰＵＳＣＨ上で送信されたＵＣＩは、より高い干渉（例えば、より多くの変動するＳＩＮＲまたはデータ衝突）を受けやすく、概して、ＩｏＴに対してより低い送信電力で送信される。
【００３８】
[0048]  例えば、ノーマルＣＰの場合、ＤＭ−ＲＳは、タイムスロット（例えば、図８中の第１のタイムスロットおよび第２のタイムスロット）の中央に含まれる。一態様では、図８に示されるように、ＰＵＳＣＨデータが、ＣＱＩ／ＰＭＩ／ＲＩの周りでレートマッチングされるが、ＡＣＫ／ＮＡＫによってパンクチャされる。例えば、図８の構成では、ＡＣＫ／ＮＡＫが、ＤＭ−ＲＳに隣接するシンボル中で送信され得、ＲＩは、ＡＣＫ／ＮＡＫに隣接するシンボル中で送信され得る。この配置は、これらシンボルが復調され得る可能性を改善する。
【００３９】
[0049]  ＬＴＥ規格（例えば、ＬＴＥリリース１０）は、１つのサブフレーム中でのＵＥによる同時のＰＵＣＣＨとＰＵＳＣＨとの送信をサポートし、ここで、以前は、ＵＥは、所与のサブフレーム中でＰＵＣＣＨまたはＰＵＳＣＨのみを送信できた。ＵＥによる同時のＰＵＣＣＨとＰＵＳＣＨとの送信の場合、シングルキャリア（ＳＣ）波形特性はもはや維持されないことがある。一態様では、ｅＮＢが、１つのＵＬサブフレーム中でＰＵＣＣＨとＰＵＳＣＨとを同時に送信する（並列送信とも呼ばれる）ようにＵＥを半静的に構成し得る。ＵＬサブフレームがＰＵＣＣＨとＰＵＳＣＨとの並列送信のために構成され、そのＵＬサブフレームのためのスケジュールされたＵＣＩが、ＡＣＫ／ＮＡＫのみまたはチャネル状態情報（ＣＳＩ：channel state information）のみを含む場合、ＵＥは、ＰＵＣＣＨ上でＡＣＫ／ＮＡＫまたはＣＳＩを送信し、ＰＵＳＣＨ上でＵＬデータを送信し得る。しかしながら、ＵＬサブフレームがＰＵＣＣＨとＰＵＳＣＨとの並列送信のために構成され、スケジュールされたＵＣＩがＡＣＫ／ＮＡＫとＣＳＩの両方を含む場合、ＡＣＫ／ＮＡＫはＰＵＣＣＨ上で送信され、ＣＳＩおよびＵＬデータはＰＵＳＣＨ上で送信される。言い換えれば、ＣＳＩはＰＵＳＣＨ上でピギーバックされる（すなわち、ＰＵＣＣＨ領域中でではなく、ＰＵＳＣＨ領域上で送信される）。この挙動によって、ＡＣＫ／ＮＡＣＫの送信は、ＰＵＣＣＨ中での送信のためにＣＳＩよりも優先させられる。
【００４０】
[0050]  従来、ＵＬ  ＤＭ−ＲＳオーバーヘッドは、全てのＵＬランクについて固定であり得る。例えば、ＵＬサブフレームの最後のシンボルが（潜在的）ＳＲＳ送信のために構成されない場合、ノーマルＣＰのためのＵＬ  ＤＭ−ＲＳオーバーヘッドは、ＵＬサブフレーム８００中の１４個のシンボルのうちの約２つのシンボル（例えば、図８中のシンボル８０２および８０４）であり得る（例えば、２／１４＝１４．３％）。最後のシンボルが（潜在的）ＳＲＳ送信のために構成される場合、ノーマルＣＰのためのＵＬ  ＤＭ−ＲＳオーバーヘッドは、ＵＬサブフレーム中の１３個の利用可能なシンボルのうちの約２つのシンボル（例えば、図８中のシンボル８０２および８０４）であり得る（例えば、２／１３＝１５．４％）。
【００４１】
[0051]  一態様では、ＵＥが、ＵＬサブフレームのためにＵＬ  ＤＭ−ＲＳオーバーヘッド低減方式を適用し得る。例えば、スモールセルによってサービスされるＵＥは、良好なチャネル状態を観測し得、ＵＬ効率を改善するためにＤＭ−ＲＳの送信のためのリソースの数を低減し得る。一態様では、ＵＥによって適用されるＵＬ  ＤＭ−ＲＳオーバーヘッド低減方式が、ただ１つのＤＭ−ＲＳシンボルを含むようにサブフレームを構成し得る。例えば、ＵＬサブフレームの第１のスロット中のシンボルはＤＭ−ＲＳ８０２の送信のために使用され得、ＵＬサブフレームの第２のスロット中のシンボル３  ８０４はＰＵＳＣＨデータのために使用され得る。
【００４２】
[0052]  別の態様では、ＵＥによって適用されるＵＬ  ＤＭ−ＲＳオーバーヘッド低減方式が、周波数領域ＤＭ−ＲＳ低減を見込み得る。そのような態様では、ＤＭ−ＲＳが、全てのリソース要素および／またはリソースブロック中に存在するとは限らない。例えば、ＤＭ−ＲＳは、あらゆるＮ個の隣接するリソース要素のうちの１つの中に存在し得るか、またはＤＭ−ＲＳは、あらゆるＮ個のリソースブロックのうちの１つの中に存在し得る（例えば、ここで、Ｎは、２、３、４の整数値であり得る）。
【００４３】
[0053]  別の態様では、ＵＥによって適用されるＵＬ  ＤＭ−ＲＳオーバーヘッド低減方式が、ＤＭ−ＲＳおよびＵＬデータが１つのシンボル中で送信されるように、時分割多重化（ＴＤＭ：time-division multiplexing）を可能にし得る。言い換えれば、シンボルは、２つまたはそれ以上のサブシンボルに区分され得る。あるサブシンボルはＤＭ−ＲＳを搬送し得、別のサブシンボルはＵＬデータを搬送し得る。そのような態様では、ＤＭ−ＲＳとＵＬデータとの間のガード期間／ＣＰが含まれ得る。すなわち、元のＤＭ−ＲＳシンボルは、第１の時間部分がＣＰとＤＭ−ＲＳとを含み、第２の時間部分がガード期間として働き、第３の時間部分がＣＰとＰＵＳＣＨデータとを含むような、３つの連続的な時間部分を有するように構成され得る。この態様は、ＤＭ−ＲＳおよびＣＰが、スロットの中央シンボル中に配置され得、その前にデータサブシンボルおよびＣＰがあるか、またはその後にデータサブシンボルおよびＣＰが続き得るという点で、ショートブロックＤＭ−ＲＳの使用とは異なる。さらに、ＤＭ−ＲＳはショートブロックＤＭ−ＲＳよりも短くなり得る。
【００４４】
[0054]  ＵＥがＵＬサブフレームのためにＵＬ  ＤＭ−ＲＳオーバーヘッド低減方式を適用するとき、ＵＥは、同じＵＬサブフレーム中でＵＣＩを送信するための適切な方式を選択し得る。一態様では、ＵＥが、ＵＬ  ＤＭ−ＲＳオーバーヘッド低減方式が、ＵＣＩのための十分な性能を提供するために適用されるとき、ＵＬサブフレーム中でのＰＵＣＣＨとＰＵＳＣＨとの同時送信を可能にし得る。そのような態様では、ＡＣＫ／ＮＡＫがＰＵＣＣＨ上で送信され得る。ＲＩは、ＰＵＣＣＨまたはＰＵＳＣのいずれか上で送信され得る。ＣＱＩ／ＰＭＩは、ＰＵＣＣＨまたはＰＵＳＣＨ上で送信され得る。ＣＳＩが周期ＣＳＩまたは非周期ＣＳＩであり得ることに留意されたい。一態様では、周期ＣＳＩおよび非周期ＣＳＩが、同様のまたは異なる様式で処理され得る。例えば、ＵＥは、ＰＵＣＣＨ上で周期ＣＳＩを送信し得、ＰＵＳＣＨ上で非周期ＣＳＩを送信し得る。さらに、周期ＣＳＩおよび非周期ＣＳＩは、異なるサブフレーム中で送信されることも送信されないこともある。
【００４５】
[0055]  別の態様では、ＵＥが、ＵＬサブフレーム中でのＵＣＩの送信のために、ＵＬ  ＤＭ−ＲＳオーバーヘッド低減方式に関連する別個の構成オフセットを適用し得る。構成されたオフセットは、ＰＵＳＣＨ上でピギーバックされたＵＣＩのために使用されるＲＥの数に対応する。より大きいオフセット値は、より多数のＲＥがＰＵＳＣＨ上でＵＣＩに割り振られ、従って、より少数のＲＥがＰＵＳＣＨ上でＵＬデータのために残っていることを暗示する。例えば、ＵＥがＰＵＳＣＨ上でＵＣＩをピギーバックしたとき、ＵＣＩによって占有されるＲＥの数は、ＰＵＳＣＨパラメータと、例えば、ＲＲＣによって構成される半静的構成オフセット（β）とに依存し得る。一態様では、オフセットが、ＡＣＫ／ＮＡＫ、ＲＩ、および／またはＣＱＩ／ＰＭＩのために別々に構成され得る。すなわち、ＡＣＫ／ＮＡＫ、ＲＩ、またはＣＱＩ／ＰＭＩは各々、異なるオフセット値に関連し得る。
【００４６】
[0056]  一態様では、ＵＥがいくつかのＰＵＳＣＨ送信のみのためにＤＭ−ＲＳオーバーヘッド低減方式をＵＬサブフレームに適用する（例えば、ＵＬ  ＤＭ−ＲＳオーバーヘッド低減方式が可能にされるが、ＳＰＳ送信のために適用されない）場合、ＵＥが、２つの別個のオフセット構成のうちの１つを適用し得る。例えば、ＵＥは、ＵＥがＵＬ  ＤＭ−ＲＳオーバーヘッド低減方式をＵＬサブフレームに適用しないとき、第１のオフセット（β）を適用し得、ＵＬ  ＤＭ−ＲＳオーバーヘッド低減方式がＵＬサブフレームに適用されるとき、第２のオフセット（β’）を適用し得る。異なるオフセットを使用することによって、ＰＵＳＣＨ上でピギーバックされたＵＣＩは、依然として、ＤＭ−ＲＳ低減がない場合とＤＭ−ＲＳ低減がある場合の両方について適切な性能ターゲットを達成できる。一態様では、第２のオフセット（β’）が、Δ値(delta value)によって調整された第１のオフセット（β）であるように構成され得る（例えば、β’＝β＋Δ値）。
【００４７】
[0057]  一態様では、特定のＵＣＩタイプ（例えば、ＡＣＫ／ＮＡＫ、ＲＩ、またはＣＱＩ／ＰＭＩ）のためのβ’のための可能な値が、βのための値と同じであり得る（ここで、βおよびβ’は各々、全てのＵＣＩタイプのための単一の値あるいは異なるＵＣＩタイプまたはＵＣＩタイプの組合せに対応する値のセットのいずれかであり得る）。代替的に、β’のための可能な値はβのための値とは異なり得る（例えば、β’は、βに対して増加した範囲の値を有し得る）。ＵＥは、ＵＥがＵＬサブフレームのためにＵＬ  ＤＭ−ＲＳオーバーヘッド低減方式を適用すべきであるか否かに基づいて、特定のＵＬサブフレームのためにβを適用すべきなのかβ’を適用すべきなのかを決定し得る。
【００４８】
[0058]  一態様では、ＵＬ  ＤＭ−ＲＳオーバーヘッド低減方式がＵＬサブフレームのためにＵＥによって適用されないとき、ＡＣＫ／ＮＡＫが、両方のスロット（例えば、ＵＬサブフレームの第１タイムスロットと第２のタイムスロット）中に含まれ得る。しかしながら、（例えば、通常のＤＭ−ＲＳオーバーヘッドの場合と比較して）低減されたＤＭ−ＲＳオーバーヘッドによる潜在的な性能差を克服するために、ＵＬ  ＤＭ−ＲＳオーバーヘッド低減方式がＵＬサブフレームのためにＵＥによって適用されるとき、異なるオフセット（例えば、β’）がＵＥによって適用され得る。
【００４９】
[0059]  一態様では、少なくともいくつかのＵＣＩ（または全てのＵＣＬ）の送信について、少なくともいくつかのＵＣＩがＤＭ−ＲＳの存在およびロケーションに基づいてＵＬサブフレームの２つタイムスロットのうちの１つの中のリソース要素にマッピングされることをＵＥが決定し得る。一例として、ＰＵＳＣＨ上でピギーバックされた少なくとも１つのＡＣＫ／ＮＡＫは、ＤＭ−ＲＳが存在するタイムスロット中に含まれ得る。例えば、ＵＬ  ＤＭ−ＲＳが第１のタイムスロット中に含まれるが、第２のタイムスロット中に含まれない場合、ＵＥは第１のタイムスロット中にＡＣＫ／ＮＡＫを含め得る。そのような例では、ＤＭ−ＲＳが第２のタイムスロット中に含まれないので、ＵＥが第２のタイムスロット中にＡＣＫ／ＮＡＫを含めないことがある。一態様では、ＡＣＫ／ＮＡＫのためのシンボルの数が、ＤＭ−ＲＳを含むシンボルに隣接する、２つのシンボルのままであり得る。代替的に、ＵＥは、サブフレームの３つ以上のシンボル中にＡＣＫ／ＮＡＣＫを含め得る。例えば、第１のタイムスロットのシンボル２およびシンボル４に加えて、ＵＥは、合計４つのシンボルがＵＬサブフレームの第１のタイムスロットのみの中でＡＣＫ／ＮＡＫの送信のために使用されるように、第１のタイムスロットのシンボル０およびシンボル６中にＡＣＫ／ＮＡＣＫをさらに含め得る。
【００５０】
[0060]  一態様では、ＵＥが、ＵＬサブフレーム中でのＲＩの送信について同様の様式でＡＣＫ／ＮＡＣＫの送信のための前に説明された方式を適用し得る。例えば、ＤＭ−ＲＳリソースオーバーヘッド低減方式が、ＤＭ−ＲＳを第１のタイムスロットに入れるＵＥによって適用されるとき、ＵＥは、ＵＬサブフレームの第１のタイムスロット内の２つのシンボル中にＲＩを含め、第２のタイムスロット内にそれを含めないことがある。一態様では、ＵＥが、ＣＱＩ／ＰＭＩの送信について同様の様式でＡＣＫ／ＮＡＣＫの送信のための前に説明された方式を適用し得る。例えば、ＵＥは、ＵＬサブフレームの第１のタイムスロット中にＣＱＩ／ＰＭＩを含め、第２のタイムスロット中にそれを含めないことがある。しかしながら、他の態様では、ＵＥが、ＵＬサブフレームの第１のタイムスロットと第２のタイムスロットの両方の中にＣＱＩ／ＰＭＩを含め得る。
【００５１】
[0061]  一態様では、ＵＥがＵＬサブフレームのためにＤＭ−ＲＳオーバーヘッド低減方式を適用するときにＰＵＳＣＨ上でのＵＣＩの送信のために使用されるべきリソース要素の数が、ＰＵＳＣＨパラメータとオフセット値とに基づき得る。例えば、そのようなオフセット値は、ＵＥがＵＬ  ＤＭ−ＲＳオーバーヘッド低減方式を適用しないときにＵＣＩの送信のためにＵＥによって適用されるオフセット値とは別個に構成され得る。ＵＥがＵＬサブフレームの１つのスロットのみの中でＵＣＩを送信する場合、これは、計算されたリソース要素が（２つのスロットではなく）１つのスロットにのみマッピングされることを暗示する。
【００５２】
[0062]  一態様では、１つまたは複数の条件が存在するとき、ＵＬ  ＤＭ−ＲＳオーバーヘッド低減方式がＵＬサブフレームのために適用されるべきでないことをＵＥが決定し得る。例えば、１つのそのような条件は、ＵＬサブフレーム中での（例えば、競合ベースランダムアクセスプロシージャの場合の）ランダムアクセス応答許可に関連するＰＵＳＣＨの送信を含み得る。非競合ベースランダムアクセスプロシージャの場合、ＵＥは、通常のＵＬ  ＤＭ−ＲＳオーバーヘッドまたは低減されたＵＬ  ＤＭ−ＲＳオーバーヘッドのいずれかを適用し得る。別のそのような条件は、高速レート適応の欠如により、通常のＵＬ  ＤＭ−ＲＳを有することが好ましいことがあるので、ＵＬサブフレーム中のＰＵＳＣＨへの半永続的スケジューリング（ＳＰＳ：semi-persistent scheduling）の適用を含み得る。別のそのような条件は、ＵＬサブフレーム中のＰＵＳＣＨ上でのＡ−ＣＳＩのみの送信を含み得る。例えば、ＰＵＳＣＨ上でのＡ−ＣＳＩのみの送信がトリガされたとき、通常のＤＭ−ＲＳは、ＵＬサブフレームのためにＵＥによって適用され得る。別のそのような条件は、必要なフォールバック動作を提供するために、少なくともダウンリンク制御情報（ＤＣＩ）フォーマット０が共通探索空間から受信されたとき、ＤＣＩフォーマット０によってスケジュールされるＵＬサブフレーム中でのＰＵＳＣＨ送信を含み得る。一態様では、ＵＥ固有探索空間中のＤＣＩフォーマット０が、依然として、ＵＬ  ＤＭ−ＲＳオーバーヘッド低減方式に関連し得る。別のそのような条件は、ＵＬサブフレーム中でのランク３以上のＰＵＳＣＨの送信を含み得る。例えば、ＵＥは、ランク３以上のＰＵＳＣＨの送信のために通常のＤＭ−ＲＳを常に使用し得る。
【００５３】
[0063]  図９は、ワイヤレス通信の方法のフローチャート９００である。本方法はＵＥによって行われ得る。図９中の破線で示されたステップが随意のステップを表すことを理解されたい。
【００５４】
[0064]  ステップ９０２で、ＵＥは、例えば、ＲＲＣ構成、ＭＡＣ指示、または制御チャネルを介した動的指示を介して、ＵＬサブフレームのためのＤＭ−ＲＳオーバーヘッド低減方式の指示を受信する。
【００５５】
[0065]  ステップ９０４で、ＵＥは、第２のＵＬサブフレームのためのオーバーヘッド低減がないＤＭ−ＲＳ方式の指示を受信する。
【００５６】
[0066]  ステップ９０６で、ＵＥは、ＵＬサブフレームのためにＤＭ−ＲＳオーバーヘッド低減方式を適用すべきかどうかを決定する。一態様では、ＵＥが、ステップ９０２中で受信された指示に基づいてＤＭ−ＲＳオーバーヘッド低減方式を適用することを決定し得る。ＵＥがＵＬサブフレームのためにＤＭ−ＲＳオーバーヘッド低減方式を適用することを決定した場合（９０６）、ＵＥはステップ９０８に進む。そうではなく、ＵＥがＵＬサブフレームのためにＤＭ−ＲＳオーバーヘッド低減方式を適用しないと決定した場合（９０６）、ＵＥはステップ９１２に進む
[0067]  ステップ９０８で、ＵＥは、ＵＬサブフレームのためにＵＣＩ送信方式を識別する。一態様では、ＤＭ−ＲＳオーバーヘッド低減方式が適用されるとき、識別されたＵＣＩ送信方式がＵＬサブフレーム中でのＰＵＣＣＨとＰＵＳＣＨとの同時送信を含み得、ここで、ＵＣＩの１つまたは複数の部分は、ＰＵＣＣＨまたはＰＵＳＣＨあるいはその両方の中で送信される。例えば、ＵＣＩは、ＣＱＩ、ＰＭＩ、スケジューリング要求（ＳＲ）、ＡＣＫ、ＮＡＣＫ、プリコーディングタイプインジケータ（ＰＴＩ）、またはＲＩのうちの少なくとも１つを含み得る。別の態様では、識別されたＵＣＩ送信方式が、ＤＭ−ＲＳオーバーヘッド低減方式に関連する構成オフセットに基づいて、ＵＣＩ送信のためにＵＬサブフレーム中でリソースを割り振ることを含み得る。例えば、ＵＬサブフレーム中でＵＣＩ送信のために割り振られたリソースは、ＰＵＳＣＨを搬送するリソースを含み得る。別の態様では、オーバーヘッド低減がないＤＭ−ＲＳ方式に関連する構成オフセットに基づいて、ＵＣＩ送信方式がＵＣＩ送信のために第２のＵＬサブフレーム中でリソースを割り振ることを含み得る。
【００５７】
[0068]  ステップ９１０で、ＵＥは、識別されたＵＣＩ送信方式を使用して、ＵＬサブフレーム中でＵＣＩを送信する。
【００５８】
[0069]  ステップ９１２で、ＵＥは、非ＤＭ−ＲＳオーバーヘッド低減に関連するＵＣＩ送信方式を適用する。例えば、ＵＥは、あるＵＣＩ、競合ベース通信、または送信条件に関連するＰＵＳＣＨを送信することが存在するとき、ＤＭ−ＲＳオーバーヘッド低減方式を適用しないと決定し得る。例えば、ＵＥは、ＵＬサブフレーム中でランダムアクセス応答許可を送信するか、ＳＰＳがＵＬサブフレーム中のＰＵＳＣＨに適用されるか、Ａ−ＣＳＩのみが、ＵＬサブフレーム中のＰＵＳＣＨ上で送信するようにトリガされるか、ＵＬサブフレーム中でのＰＵＳＣＨ送信がＤＣＩフォーマット０によってスケジュールされるか、ランク３以上のＰＵＳＣＨがＵＬサブフレーム中で送信されるか、またはこれらの組合せであるとき、ＤＭ−ＲＳオーバーヘッド低減方式を適用しないと決定し得る。
【００５９】
[0070]  ステップ９１４で、ＵＥは、非ＤＭ−ＲＳオーバーヘッド低減に関連するＵＣＩ送信方式を使用して、ＵＬサブフレーム中でＵＣＩを送信する。
【００６０】
[0071]  図１０は、例示的な装置１００２における異なるモジュール／手段／構成要素間のデータフローを示す概念データフロー図１０００である。本装置はＵＥであり得る。受信モジュール１００４は、アップリンクサブフレームのためのＤＭ−ＲＳオーバーヘッド低減方式の指示または第２のアップリンクサブフレームのためのオーバーヘッド低減がないＤＭ−ＲＳ方式の指示を受信する。例えば、受信モジュール１００４は、基地局１０５０からＤＭ−ＲＳ方式指示１０３２を受信し得、ＤＭ−ＲＳ方式指示１０３２は、アップリンクサブフレームのためのＤＭ−ＲＳオーバーヘッド低減方式または第２のアップリンクサブフレームのためのオーバーヘッド低減がないＤＭ−ＲＳ方式を示し得る。ＤＭ−ＲＳオーバーヘッド低減方式決定モジュール１００６は、アップリンクサブフレームのためにＤＭ−ＲＳオーバーヘッド低減方式を適用すべきかどうかを決定する。例えば、ＤＭ−ＲＳオーバーヘッド低減方式決定モジュール１００６は、アップリンクサブフレームのためのＤＭ−ＲＳオーバーヘッド低減方式の指示１０１６および／または第２のアップリンクサブフレームのためのオーバーヘッド低減がないＤＭ−ＲＳ方式の指示１０１８を受信し得る。ＤＭ−ＲＳオーバーヘッド低減方式決定モジュール１００６は、次いで、指示１０１６および／または１０１８に基づいてＤＭ−ＲＳオーバーヘッド低減方式を適用すべきかどうかを決定する。ＤＭ−ＲＳオーバーヘッド低減方式決定モジュール１００６は、ＤＭ−ＲＳオーバーヘッド低減方式が適用されるべきであることを示す信号１０２０を提供するか、または非ＤＭ−ＲＳオーバーヘッド低減に関連するＵＣＩ送信方式が適用されるべきであることを示す信号１０２６を提供する。ＵＣＩ送信方式識別モジュール１００８は、ＤＭ−ＲＳオーバーヘッド低減方式が適用されるかどうかに基づいて、アップリンクサブフレームのためにＵＣＩ送信方式を識別する。例えば、ＵＣＩ送信方式識別モジュール１００８は、ＤＭ−ＲＳオーバーヘッド低減方式が適用されるべきであることを示す信号１０２０を受信し得、アップリンクサブフレームのためにＵＣＩ送信方式を識別し得る。ＵＣＩ送信方式識別モジュール１００８は、識別されたＵＣＩ送信方式１０２２をＵＣＩ送信モジュール１０１０に提供し得る。ＵＣＩ送信モジュール１０１０は、ＵＣＩ送信方式を使用して、送信モジュール１０１４を介して、アップリンクサブフレーム中でＵＣＩ１０２４を送信する。例えば、ＵＣＩは、アップリンク信号１０３０を使用して基地局１０５０に送信される。
【００６１】
[0072]  本装置は、図９の上述のフローチャート中のアルゴリズムのブロックの各々を行う追加のモジュールを含み得る。従って、図９の上述のフローチャート中の各ブロックは１つのモジュールによって行われ得、本装置は、これらモジュールのうちの１つまたは複数を含み得る。これらモジュールは、述べられたプロセス／アルゴリズムを行うように特に構成される１つまたは複数のハードウェア構成要素であるか、述べられたプロセス／アルゴリズムを行うように構成されるプロセッサによって実施されるか、プロセッサによる実施のためにコンピュータ可読媒体内に記憶されるか、またはこれらの何れかの組合せであり得る。
【００６２】
[0073]  図１１は、処理システム１１１４を採用する装置１００２’のためのハードウェア実施の一例を示す図１１００である。処理システム１１１４は、バス１１２４によって概略的に表されるバスアーキテクチャを用いて実施され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアモジュールと、モジュール１００４、１００６、１００８、１０１０、および１０１４と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これら回路は当技術分野においてよく知られており、それゆえ、これ以上説明されない。
【００６３】
[0074]  処理システム１１１４はトランシーバ１１１０に結合され得る。トランシーバ１１１０は、１つまたは複数のアンテナ１１２０に結合される。トランシーバ１１１０は、伝送媒体を介して様々な他の装置と通信するための手段を提供する。トランシーバ１１１０は、１つまたは複数のアンテナ１１２０から信号を受信し、受信された信号から情報を抽出し、抽出された情報を処理システム１１１４、特に受信モジュール１００４に提供する。さらに、トランシーバ１１１０は、処理システム１１１４、特に送信モジュール１０１４から情報を受信し、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されたとき、処理システム１１１４に、特定の装置のための上記で説明された様々な機能を行わせる。コンピュータ可読媒体／メモリ１１０６はまた、ソフトウェアを実行するときにプロセッサ１１０４によって操作されるデータを記憶するために使用され得る。処理システムは、モジュール１００４、１００６、１００８、１０１０、および１０１４のうちの少なくとも１つをさらに含む。これらモジュールは、プロセッサ１１０４中で動作するか、コンピュータ可読媒体／メモリ１１０６中に常駐する／記憶されたソフトウェアモジュールであるか、プロセッサ１１０４に結合された１つまたは複数のハードウェアモジュールであるか、またはこれらの何れかの組合せであり得る。処理システム１１１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００６４】
[0075]  一構成では、ワイヤレス通信のための装置１００２／１００２’が、アップリンクサブフレームのためにＤＭ−ＲＳオーバーヘッド低減方式を適用すべきかどうかを決定するための手段のための手段と、ＤＭ−ＲＳオーバーヘッド低減方式が適用されるかどうかに基づいて、アップリンクサブフレームのためにＵＣＩ送信方式を識別するための手段と、ＵＣＩ送信方式を使用して、アップリンクサブフレーム中でＵＣＩを送信するための手段と、ＤＭ−ＲＳオーバーヘッド低減方式の指示を受信するための手段と、ここで、決定が、ＤＭ−ＲＳオーバーヘッド低減方式の指示に基づく、第２のアップリンクサブフレームのためのオーバーヘッド低減がないＤＭ−ＲＳ方式の指示を受信するための手段とを含む。
【００６５】
[0076]  上述の手段は、上述の手段によって具陳された機能を行うように構成される、装置１００２の上述のモジュールおよび／または装置１００２’の処理システム１１１４のうちの１つまたは複数であり得る。前に説明されたように、処理システム１１１４は、ＴＸプロセッサ６６８と、ＲＸプロセッサ６５６と、コントローラ／プロセッサ６５９とを含み得る。従って、一構成では、上述の手段が、上述の手段によって具陳された機能を行うように構成される、ＴＸプロセッサ６６８と、ＲＸプロセッサ６５６と、コントローラ／プロセッサ６５９とであり得る。
【００６６】
[0077]  開示されたプロセス／フローチャート中のステップの特定の順序または階層は、例示的な手法の一例であることを理解されたい。設計選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示するものであり、提示された特定の順序または階層に限定されるものではない。
【００６７】
[0078]  以上の説明は、当業者が本明細書で説明された様々な態様を実践可能にするために提供される。これら態様への様々な変更は当業者には容易に明らかであり、本明細書で定義された一般的原理は他の態様に適用され得る。従って、特許請求の範囲は、本明細書に示された態様に限定されるものではなく、クレーム文言に矛盾しない全範囲を与えられるべきであり、ここにおいて、単数形の要素への言及は、そのように明記されない限り、「唯一無二の」を意味するものではなく、「１つまたは複数の」を意味するものである。「例示的」という単語は、本明細書で、「例、事例、または例示の働きをすること」を意味するために使用される。「例示的」として本明細書で説明された任意の態様は、必ずしも他の態様よりも好適または有利であると解釈されるべきであるとは限らない。別段に明記されない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはこれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含むことがある。当業者に知られる、または後に知られることになる、本開示全体にわたって説明された様々な態様の要素の全ての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されない限り、ミーンズプラスファンクションとして解釈されるべきではない。
【図１】
2017514366.tif 000003
【図２】
2017514366.tif 000004
【図３】
2017514366.tif 000005
【図４】
2017514366.tif 000006
【図５】
2017514366.tif 000007
【図６】
2017514366.tif 000008
【図７】
2017514366.tif 000009
【図８】
2017514366.tif 000010
【図９】
2017514366.tif 000011
【図１０】
2017514366.tif 000012
【図１１】
2017514366.tif 000013
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
復調基準信号（ＤＭ−ＲＳ）オーバーヘッド低減方式がアップリンクサブフレームのために適用されるかどうかに基づいて、前記アップリンクサブフレームのためにアップリンク制御情報（ＵＣＩ）送信方式を識別することと、ここにおいて、前記ＤＭ−ＲＳオーバーヘッド低減方式が適用されないとき、第１のＵＣＩ送信方式が識別され、前記ＤＭ−ＲＳオーバーヘッド低減方式が適用されるとき、第２の送信方式が識別される、
前記ＵＣＩ送信方式を使用して、前記アップリンクサブフレーム中で前記ＵＣＩを送信することと
を備える、ワイヤレス通信の方法。
【請求項２】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１に記載の方法。
【請求項３】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１に記載の方法。
【請求項４】
前記アップリンクサブフレーム中でＵＣＩ送信のために割り振られた前記リソースは、物理アップリンク共有チャネル（ＰＵＳＣＨ）を搬送するリソースを備える、請求項３に記載の方法。
【請求項５】
前記ＤＭ−ＲＳオーバーヘッド低減方式を適用すべきかどうかを決定することをさらに備え、前記決定することは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定することを含む、請求項１に記載の方法。
【請求項６】
前記ＤＭ−ＲＳオーバーヘッド低減方式の指示を受信することをさらに備え、ここにおいて、前記決定することは、前記ＤＭ−ＲＳオーバーヘッド低減方式の前記指示に基づく、請求項５に記載の方法。
【請求項７】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１に記載の方法。
【請求項８】
第２のアップリンクサブフレームのためのオーバーヘッド低減がない前記ＤＭ−ＲＳ方式の指示を受信することをさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１に記載の方法。
【請求項９】
前記ＵＣＩは、前記アップリンクサブフレーム中の複数のスロットのうちの１つにのみマッピングされる、請求項１に記載の方法。
【請求項１０】
復調基準信号（ＤＭ−ＲＳ）オーバーヘッド低減方式がアップリンクサブフレームのために適用されるかどうかに基づいて、前記アップリンクサブフレームのためにアップリンク制御情報（ＵＣＩ）送信方式を識別するための手段と、ここにおいて、前記ＤＭ−ＲＳオーバーヘッド低減方式が適用されないとき、第１のＵＣＩ送信方式が識別され、前記ＤＭ−ＲＳオーバーヘッド低減方式が適用されるとき、第２の送信方式が識別される、
前記ＵＣＩ送信方式を使用して、前記アップリンクサブフレーム中で前記ＵＣＩを送信するための手段と
を備える、ワイヤレス通信のための装置。
【請求項１１】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１０に記載の装置。
【請求項１２】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１０に記載の装置。
【請求項１３】
前記アップリンクサブフレーム中でＵＣＩ送信のために割り振られた前記リソースは、物理アップリンク共有チャネル（ＰＵＳＣＨ）を搬送するリソースを備える、請求項１２に記載の装置。
【請求項１４】
前記ＤＭ−ＲＳオーバーヘッド低減方式を適用すべきかどうかを決定するための手段をさらに備え、決定するための前記手段は、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定するように構成される、請求項１０に記載の装置。
【請求項１５】
前記ＤＭ−ＲＳオーバーヘッド低減方式の指示を受信するための手段をさらに備え、ここにおいて、前記決定は、前記ＤＭ−ＲＳオーバーヘッド低減方式の前記指示に基づく、請求項１４に記載の装置。
【請求項１６】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１０に記載の装置。
【請求項１７】
第２のアップリンクサブフレームのためのオーバーヘッド低減がない前記ＤＭ−ＲＳ方式の指示を受信するための手段をさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１０に記載の装置。
【請求項１８】
前記ＵＣＩは、前記アップリンクサブフレーム中の複数のスロットのうちの１つにのみマッピングされる、請求項１０に記載の装置。
【請求項１９】
メモリと、
前記メモリに結合された少なくとも１つのプロセッサとを備え、前記少なくとも１つのプロセッサは、
復調基準信号（ＤＭ−ＲＳ）オーバーヘッド低減方式がアップリンクサブフレームのために適用されるかどうかに基づいて、前記アップリンクサブフレームのためにアップリンク制御情報（ＵＣＩ）送信方式を識別することと、ここにおいて、前記ＤＭ−ＲＳオーバーヘッド低減方式が適用されないとき、第１のＵＣＩ送信方式が識別され、前記ＤＭ−ＲＳオーバーヘッド低減方式が適用されるとき、第２の送信方式が識別される、
前記ＵＣＩ送信方式を使用して、前記アップリンクサブフレーム中で前記ＵＣＩを送信することと
を行うように構成される、ワイヤレス通信のための装置。
【請求項２０】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１９に記載の装置。
【請求項２１】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１９に記載の装置。
【請求項２２】
前記アップリンクサブフレーム中でＵＣＩ送信のために割り振られた前記リソースは、物理アップリンク共有チャネル（ＰＵＳＣＨ）を搬送するリソースを備える、請求項２１に記載の装置。
【請求項２３】
前記少なくとも１つのプロセッサは、前記ＤＭ−ＲＳオーバーヘッド低減方式を適用すべきかどうかを決定するようにさらに構成され、前記少なくとも１つのプロセッサは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定するように構成される、請求項１９に記載の装置。
【請求項２４】
前記少なくとも１つのプロセッサは、前記ＤＭ−ＲＳオーバーヘッド低減方式の指示を受信するようにさらに構成され、ここにおいて、前記決定は、前記ＤＭ−ＲＳオーバーヘッド低減方式の前記指示に基づく、請求項２３に記載の装置。
【請求項２５】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１９に記載の装置。
【請求項２６】
前記少なくとも１つのプロセッサは、第２のアップリンクサブフレームのためのオーバーヘッド低減がない前記ＤＭ−ＲＳ方式の指示を受信するようにさらに構成され、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１９に記載の装置。
【請求項２７】
前記ＵＣＩは、前記アップリンクサブフレーム中の複数のスロットのうちの１つにのみマッピングされる、請求項１９に記載の装置。
【請求項２８】
復調基準信号（ＤＭ−ＲＳ）オーバーヘッド低減方式がアップリンクサブフレームのために適用されるかどうかに基づいて、前記アップリンクサブフレームのためにアップリンク制御情報（ＵＣＩ）送信方式を識別することと、ここにおいて、前記ＤＭ−ＲＳオーバーヘッド低減方式が適用されないとき、第１のＵＣＩ送信方式が識別され、前記ＤＭ−ＲＳオーバーヘッド低減方式が適用されるとき、第２の送信方式が識別される、
前記ＵＣＩ送信方式を使用して、前記アップリンクサブフレーム中で前記ＵＣＩを送信することと
を行うためのコードを備えるコンピュータ可読媒体を備える、コンピュータプログラム製品。
【手続補正２】
【補正対象書類名】明細書
【補正対象項目名】００６７
【補正方法】変更
【補正の内容】
【００６７】
[0078]  以上の説明は、当業者が本明細書で説明された様々な態様を実践可能にするために提供される。これら態様への様々な変更は当業者には容易に明らかであり、本明細書で定義された一般的原理は他の態様に適用され得る。従って、特許請求の範囲は、本明細書に示された態様に限定されるものではなく、クレーム文言に矛盾しない全範囲を与えられるべきであり、ここにおいて、単数形の要素への言及は、そのように明記されない限り、「唯一無二の」を意味するものではなく、「１つまたは複数の」を意味するものである。「例示的」という単語は、本明細書で、「例、事例、または例示の働きをすること」を意味するために使用される。「例示的」として本明細書で説明された任意の態様は、必ずしも他の態様よりも好適または有利であると解釈されるべきであるとは限らない。別段に明記されない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはこれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含むことがある。当業者に知られる、または後に知られることになる、本開示全体にわたって説明された様々な態様の要素の全ての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されない限り、ミーンズプラスファンクションとして解釈されるべきではない。
以下に、出願当初の特許請求の範囲に記載された発明を付記する。
［Ｃ１］
アップリンクサブフレームのために復調基準信号（ＤＭ−ＲＳ）オーバーヘッド低減方式を適用すべきかどうかを決定することと、
前記ＤＭ−ＲＳオーバーヘッド低減方式が適用されるかどうかに基づいて、前記アップリンクサブフレームのためにアップリンク制御情報（ＵＣＩ）送信方式を識別することと、
前記ＵＣＩ送信方式を使用して、前記アップリンクサブフレーム中で前記ＵＣＩを送信することとを備える、ワイヤレス通信の方法。
［Ｃ２］
前記ＤＭ−ＲＳオーバーヘッド低減方式の指示を受信することをさらに備え、ここにおいて、前記決定することは、前記ＤＭ−ＲＳオーバーヘッド低減方式の前記指示に基づく、Ｃ１に記載の方法。
［Ｃ３］
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、Ｃ１に記載の方法。
［Ｃ４］
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、Ｃ１に記載の方法。
［Ｃ５］
前記アップリンクサブフレーム中でＵＣＩ送信のために割り振られた前記リソースは、物理アップリンク共有チャネル（ＰＵＳＣＨ）を搬送するリソースを備える、Ｃ４に記載の方法。
［Ｃ６］
前記ＤＭ−ＲＳオーバーヘッド低減方式を適用すべきかどうかを決定することは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定することを備える、Ｃ１に記載の方法。
［Ｃ７］
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、Ｃ１に記載の方法。
［Ｃ８］
第２のアップリンクサブフレームのためのオーバーヘッド低減がない前記ＤＭ−ＲＳ方式の指示を受信することをさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、Ｃ１に記載の方法。
［Ｃ９］
前記ＵＣＩは、前記アップリンクサブフレーム中の複数のスロットのうちの１つにのみマッピングされる、Ｃ１に記載の方法。
［Ｃ１０］
アップリンクサブフレームのために復調基準信号（ＤＭ−ＲＳ）オーバーヘッド低減方式を適用すべきかどうかを決定するための手段と、
前記ＤＭ−ＲＳオーバーヘッド低減方式が適用されるかどうかに基づいて、前記アップリンクサブフレームのためにアップリンク制御情報（ＵＣＩ）送信方式を識別するための手段と、
前記ＵＣＩ送信方式を使用して、前記アップリンクサブフレーム中で前記ＵＣＩを送信するための手段とを備える、ワイヤレス通信のための装置。
［Ｃ１１］
前記ＤＭ−ＲＳオーバーヘッド低減方式の指示を受信するための手段をさらに備え、ここにおいて、前記決定は、前記ＤＭ−ＲＳオーバーヘッド低減方式の前記指示に基づく、Ｃ１０に記載の装置。
［Ｃ１２］
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、Ｃ１０に記載の装置。
［Ｃ１３］
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、Ｃ１０に記載の装置。
［Ｃ１４］
前記アップリンクサブフレーム中でＵＣＩ送信のために割り振られた前記リソースは、物理アップリンク共有チャネル（ＰＵＳＣＨ）を搬送するリソースを備える、Ｃ１３に記載の装置。
［Ｃ１５］
前記ＤＭ−ＲＳオーバーヘッド低減方式を適用すべきかどうかを決定するための前記手段は、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定するように構成される、Ｃ１０に記載の装置。
［Ｃ１６］
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、Ｃ１０に記載の装置。
［Ｃ１７］
第２のアップリンクサブフレームのためのオーバーヘッド低減がない前記ＤＭ−ＲＳ方式の指示を受信するための手段をさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、Ｃ１０に記載の装置。
［Ｃ１８］
前記ＵＣＩは、前記アップリンクサブフレーム中の複数のスロットのうちの１つにのみマッピングされる、Ｃ１０に記載の装置。
［Ｃ１９］
メモリと、
前記メモリに結合された少なくとも１つのプロセッサとを備え、前記少なくとも１つのプロセッサは、
アップリンクサブフレームのために復調基準信号（ＤＭ−ＲＳ）オーバーヘッド低減方式を適用すべきかどうかを決定することと、
前記ＤＭ−ＲＳオーバーヘッド低減方式が適用されるかどうかに基づいて、前記アップリンクサブフレームのためにアップリンク制御情報（ＵＣＩ）送信方式を識別することと、
前記ＵＣＩ送信方式を使用して、前記アップリンクサブフレーム中で前記ＵＣＩを送信することと
を行うように構成される、ワイヤレス通信のための装置。
［Ｃ２０］
前記少なくとも１つのプロセッサは、前記ＤＭ−ＲＳオーバーヘッド低減方式の指示を受信するようにさらに構成され、ここにおいて、前記決定は、前記ＤＭ−ＲＳオーバーヘッド低減方式の前記指示に基づく、Ｃ１９に記載の装置。
［Ｃ２１］
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、Ｃ１９に記載の装置。
［Ｃ２２］
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、Ｃ１９に記載の装置。
［Ｃ２３］
前記アップリンクサブフレーム中でＵＣＩ送信のために割り振られた前記リソースは、物理アップリンク共有チャネル（ＰＵＳＣＨ）を搬送するリソースを備える、Ｃ２２に記載の装置。
［Ｃ２４］
前記ＤＭ−ＲＳオーバーヘッド低減方式を適用すべきかどうかを決定することは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定することを備える、Ｃ１９に記載の装置。
［Ｃ２５］
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、Ｃ１９に記載の装置。
［Ｃ２６］
前記少なくとも１つのプロセッサは、第２のアップリンクサブフレームのためのオーバーヘッド低減がない前記ＤＭ−ＲＳ方式の指示を受信するようにさらに構成され、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、Ｃ１９に記載の装置。
［Ｃ２７］
前記ＵＣＩは、前記アップリンクサブフレーム中の複数のスロットのうちの１つにのみマッピングされる、Ｃ１９に記載の装置。
［Ｃ２８］
アップリンクサブフレームのために復調基準信号（ＤＭ−ＲＳ）オーバーヘッド低減方式を適用すべきかどうかを決定することと、
前記ＤＭ−ＲＳオーバーヘッド低減方式が適用されるかどうかに基づいて、前記アップリンクサブフレームのためにアップリンク制御情報（ＵＣＩ）送信方式を識別することと、
前記ＵＣＩ送信方式を使用して、前記アップリンクサブフレーム中で前記ＵＣＩを送信することと
を行うためのコードを備えるコンピュータ可読媒体を備える、コンピュータプログラム製品。
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
復調基準信号（ＤＭ−ＲＳ）オーバーヘッド低減方式がアップリンクサブフレームのために適用されるかどうかに基づいて、前記アップリンクサブフレームのためにアップリンク制御情報（ＵＣＩ）送信方式を選択することと、ここにおいて、前記ＤＭ−ＲＳオーバーヘッド低減方式が適用されないとき、第１のＵＣＩ送信方式が選択され、前記ＤＭ−ＲＳオーバーヘッド低減方式が適用されるとき、第２の送信方式が選択される、
前記選択されたＵＣＩ送信方式を使用して、前記アップリンクサブフレーム中で前記ＵＣＩを送信することと
を備える、ワイヤレス通信の方法。
【請求項２】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１に記載の方法。
【請求項３】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１に記載の方法。
【請求項４】
前記アップリンクサブフレーム中でＵＣＩ送信のために割り振られた前記リソースは、物理アップリンク共有チャネル（ＰＵＳＣＨ）を搬送するリソースを備える、請求項３に記載の方法。
【請求項５】
前記ＤＭ−ＲＳオーバーヘッド低減方式を適用すべきかどうかを決定することをさらに備え、前記決定することは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定することを含む、請求項１に記載の方法。
【請求項６】
前記ＤＭ−ＲＳオーバーヘッド低減方式の指示を受信することをさらに備え、ここにおいて、前記決定することは、前記ＤＭ−ＲＳオーバーヘッド低減方式の前記指示に基づく、請求項５に記載の方法。
【請求項７】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１に記載の方法。
【請求項８】
第２のアップリンクサブフレームのためのオーバーヘッド低減がない前記ＤＭ−ＲＳ方式の指示を受信することをさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１に記載の方法。
【請求項９】
前記ＵＣＩは、前記アップリンクサブフレーム中の複数のスロットのうちの１つにのみマッピングされる、請求項１に記載の方法。
【請求項１０】
復調基準信号（ＤＭ−ＲＳ）オーバーヘッド低減方式がアップリンクサブフレームのために適用されるかどうかに基づいて、前記アップリンクサブフレームのためにアップリンク制御情報（ＵＣＩ）送信方式を選択するための手段と、ここにおいて、前記ＤＭ−ＲＳオーバーヘッド低減方式が適用されないとき、第１のＵＣＩ送信方式が選択され、前記ＤＭ−ＲＳオーバーヘッド低減方式が適用されるとき、第２の送信方式が選択される、
前記選択されたＵＣＩ送信方式を使用して、前記アップリンクサブフレーム中で前記ＵＣＩを送信するための手段と
を備える、ワイヤレス通信のための装置。
【請求項１１】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１０に記載の装置。
【請求項１２】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１０に記載の装置。
【請求項１３】
前記アップリンクサブフレーム中でＵＣＩ送信のために割り振られた前記リソースは、物理アップリンク共有チャネル（ＰＵＳＣＨ）を搬送するリソースを備える、請求項１２に記載の装置。
【請求項１４】
前記ＤＭ−ＲＳオーバーヘッド低減方式を適用すべきかどうかを決定するための手段をさらに備え、決定するための前記手段は、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定するように構成される、請求項１０に記載の装置。
【請求項１５】
前記ＤＭ−ＲＳオーバーヘッド低減方式の指示を受信するための手段をさらに備え、ここにおいて、前記決定は、前記ＤＭ−ＲＳオーバーヘッド低減方式の前記指示に基づく、請求項１４に記載の装置。
【請求項１６】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１０に記載の装置。
【請求項１７】
第２のアップリンクサブフレームのためのオーバーヘッド低減がない前記ＤＭ−ＲＳ方式の指示を受信するための手段をさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１０に記載の装置。
【請求項１８】
前記ＵＣＩは、前記アップリンクサブフレーム中の複数のスロットのうちの１つにのみマッピングされる、請求項１０に記載の装置。
【請求項１９】
メモリと、
前記メモリに結合された少なくとも１つのプロセッサとを備え、前記少なくとも１つのプロセッサは、
復調基準信号（ＤＭ−ＲＳ）オーバーヘッド低減方式がアップリンクサブフレームのために適用されるかどうかに基づいて、前記アップリンクサブフレームのためにアップリンク制御情報（ＵＣＩ）送信方式を選択することと、ここにおいて、前記ＤＭ−ＲＳオーバーヘッド低減方式が適用されないとき、第１のＵＣＩ送信方式が選択され、前記ＤＭ−ＲＳオーバーヘッド低減方式が適用されるとき、第２の送信方式が選択される、
前記選択されたＵＣＩ送信方式を使用して、前記アップリンクサブフレーム中で前記ＵＣＩを送信することと
を行うように構成される、ワイヤレス通信のための装置。
【請求項２０】
前記ＵＣＩ送信方式は、前記ＤＭ−ＲＳオーバーヘッド低減方式が適用されるとき、前記アップリンクサブフレーム中での物理アップリンク制御チャネル（ＰＵＣＣＨ）と物理アップリンク共有チャネル（ＰＵＳＣＨ）との同時送信を備え、
ここにおいて、前記ＵＣＩの１つまたは複数の部分は、前記ＰＵＣＣＨ、前記ＰＵＳＣＨ、またはその両方の中で送信される、請求項１９に記載の装置。
【請求項２１】
前記ＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１９に記載の装置。
【請求項２２】
前記アップリンクサブフレーム中でＵＣＩ送信のために割り振られた前記リソースは、物理アップリンク共有チャネル（ＰＵＳＣＨ）を搬送するリソースを備える、請求項２１に記載の装置。
【請求項２３】
前記少なくとも１つのプロセッサは、前記ＤＭ−ＲＳオーバーヘッド低減方式を適用すべきかどうかを決定するようにさらに構成され、前記少なくとも１つのプロセッサは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定するように構成される、請求項１９に記載の装置。
【請求項２４】
前記少なくとも１つのプロセッサは、前記ＤＭ−ＲＳオーバーヘッド低減方式の指示を受信するようにさらに構成され、ここにおいて、前記決定は、前記ＤＭ−ＲＳオーバーヘッド低減方式の前記指示に基づく、請求項２３に記載の装置。
【請求項２５】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１９に記載の装置。
【請求項２６】
前記少なくとも１つのプロセッサは、第２のアップリンクサブフレームのためのオーバーヘッド低減がない前記ＤＭ−ＲＳ方式の指示を受信するようにさらに構成され、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１９に記載の装置。
【請求項２７】
前記ＵＣＩは、前記アップリンクサブフレーム中の複数のスロットのうちの１つにのみマッピングされる、請求項１９に記載の装置。
【請求項２８】
復調基準信号（ＤＭ−ＲＳ）オーバーヘッド低減方式がアップリンクサブフレームのために適用されるかどうかに基づいて、前記アップリンクサブフレームのためにアップリンク制御情報（ＵＣＩ）送信方式を選択することと、ここにおいて、前記ＤＭ−ＲＳオーバーヘッド低減方式が適用されないとき、第１のＵＣＩ送信方式が選択され、前記ＤＭ−ＲＳオーバーヘッド低減方式が適用されるとき、第２の送信方式が選択される、
前記選択されたＵＣＩ送信方式を使用して、前記アップリンクサブフレーム中で前記ＵＣＩを送信することと
を行うためのコードを備えるコンピュータ可読媒体を備える、コンピュータプログラム製品。
【請求項２９】
前記ＤＭ−ＲＳオーバーヘッド低減方式は、前記アップリンクＤＭ−ＲＳ送信のためのリソースの数を低減することを含む、請求項１に記載の方法。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
復調基準信号（ＤＭ−ＲＳ）オーバーヘッド低減方式をアップリンクサブフレームのために適用するかどうかを決定することと、
前記ＤＭ−ＲＳオーバーヘッド低減方式が前記アップリンクサブフレームのために適用されるかどうかに基づいて、前記アップリンクサブフレームのためにアップリンク制御情報（ＵＣＩ）送信方式を選択することと、ここにおいて、前記ＤＭ−ＲＳオーバーヘッド低減方式が適用されないとき、第１のＵＣＩ送信方式が選択され、前記ＤＭ−ＲＳオーバーヘッド低減方式が適用されるとき、第２のＵＣＩ送信方式が選択される、
前記選択されたＵＣＩ送信方式を使用して、前記アップリンクサブフレーム中で前記ＵＣＩを送信することと
を備え、ここにおいて、
前記第１のＵＣＩ送信方式が、前記第２のＵＣＩ送信方式とは異なるオフセット構成を備える、または
前記第１のＵＣＩ送信方式が、前記アップリンクサブフレーム中での物理アップリンク制御チャネル（ＰＵＣＣＨ）と物理アップリンク共有チャネル（ＰＵＳＣＨ）との同時送信を備えず、前記第２のＵＣＩ送信方式が、前記アップリンクサブフレーム中での前記ＰＵＣＣＨと前記ＰＵＳＣＨとの同時送信を備える
のうちの少なくとも１つである、ワイヤレス通信の方法。
【請求項２】
前記ＤＭ−ＲＳオーバーヘッド低減方式の指示を受信することをさらに備え、ここにおいて、前記決定することは、前記ＤＭ−ＲＳオーバーヘッド低減方式の前記指示に基づく、請求項１に記載の方法。
【請求項３】
前記ＤＭ−ＲＳオーバーヘッド低減方式が適用されるとき、前記第１のＵＣＩ送信方式は、前記アップリンクサブフレーム中での前記ＰＵＣＣＨと前記ＰＵＳＣＨとの同時送信を備えず、前記第２のＵＣＩ送信方式は、前記アップリンクサブフレーム中での前記ＰＵＣＣＨと前記ＰＵＳＣＨとの同時送信を備える、
ここにおいて、前記ＵＣＩの１つまたは複数の部分は、前記ＰＵＣＣＨ、前記ＰＵＳＣＨ、またはその両方の中で送信される、請求項１に記載の方法。
【請求項４】
前記第１のＵＣＩ送信方式は、前記第２のＵＣＩ送信方式とは異なるオフセット構成を備え、前記第２のＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１に記載の方法。
【請求項５】
前記アップリンクサブフレーム中でＵＣＩ送信のために割り振られた前記リソースは、前記ＰＵＳＣＨを搬送するリソースを備える、請求項４に記載の方法。
【請求項６】
前記ＤＭ−ＲＳオーバーヘッド低減方式を適用すべきかどうかを決定することは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定することを含む、請求項１に記載の方法。
【請求項７】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１に記載の方法。
【請求項８】
第１のＵＣＩ送信方式は、前記第２のＵＣＩ送信方式とは異なるオフセット構成を備え、前記方法は、第２のアップリンクサブフレームのためのオーバーヘッド低減がない前記ＤＭ−ＲＳ方式の指示を受信することをさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１に記載の方法。
【請求項９】
前記ＵＣＩは、前記アップリンクサブフレーム中の複数のスロットのうちの１つにのみマッピングされる、請求項１に記載の方法。
【請求項１０】
復調基準信号（ＤＭ−ＲＳ）オーバーヘッド低減方式をアップリンクサブフレームのために適用するかどうかを決定するための手段と、
前記ＤＭ−ＲＳオーバーヘッド低減方式が前記アップリンクサブフレームのために適用されるかどうかに基づいて、前記アップリンクサブフレームのためにアップリンク制御情報（ＵＣＩ）送信方式を選択するための手段と、ここにおいて、前記ＤＭ−ＲＳオーバーヘッド低減方式が適用されないとき、第１のＵＣＩ送信方式が選択され、前記ＤＭ−ＲＳオーバーヘッド低減方式が適用されるとき、第２のＵＣＩ送信方式が選択される、
前記選択されたＵＣＩ送信方式を使用して、前記アップリンクサブフレーム中で前記ＵＣＩを送信するための手段と
を備え、ここにおいて、
前記第１のＵＣＩ送信方式が、前記第２のＵＣＩ送信方式とは異なるオフセット構成を備える、または
前記第１のＵＣＩ送信方式が、前記アップリンクサブフレーム中での物理アップリンク制御チャネル（ＰＵＣＣＨ）と物理アップリンク共有チャネル（ＰＵＳＣＨ）との同時送信を備えず、前記第２のＵＣＩ送信方式が、前記アップリンクサブフレーム中での前記ＰＵＣＣＨと前記ＰＵＳＣＨとの同時送信を備える
のうちの少なくとも１つである、ワイヤレス通信のための装置。
【請求項１１】
前記ＤＭ−ＲＳオーバーヘッド低減方式の指示を受信するための手段をさらに備え、ここにおいて、前記決定は、前記ＤＭ−ＲＳオーバーヘッド低減方式の前記指示に基づく、請求項１０に記載の装置。
【請求項１２】
前記ＤＭ−ＲＳオーバーヘッド低減方式が適用されるとき、前記第１のＵＣＩ送信方式は、前記アップリンクサブフレーム中での前記ＰＵＣＣＨと前記ＰＵＳＣＨとの同時送信を備えず、前記第２のＵＣＩ送信方式は、前記アップリンクサブフレーム中での前記ＰＵＣＣＨと前記ＰＵＳＣＨとの同時送信を備える、
ここにおいて、前記ＵＣＩの１つまたは複数の部分は、前記ＰＵＣＣＨ、前記ＰＵＳＣＨ、またはその両方の中で送信される、請求項１０に記載の装置。
【請求項１３】
前記第１のＵＣＩ送信方式は、前記第２のＵＣＩ送信方式とは異なるオフセット構成を備え、前記第２のＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１０に記載の装置。
【請求項１４】
前記アップリンクサブフレーム中でＵＣＩ送信のために割り振られた前記リソースは、前記ＰＵＳＣＨを搬送するリソースを備える、請求項１３に記載の装置。
【請求項１５】
前記ＤＭ−ＲＳオーバーヘッド低減方式を適用すべきかどうかを決定するための前記手段は、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定するように構成される、請求項１０に記載の装置。
【請求項１６】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１０に記載の装置。
【請求項１７】
第１のＵＣＩ送信方式は、前記第２のＵＣＩ送信方式とは異なるオフセット構成を備え、前記装置は、第２のアップリンクサブフレームのためのオーバーヘッド低減がない前記ＤＭ−ＲＳ方式の指示を受信するための手段をさらに備え、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１０に記載の装置。
【請求項１８】
前記ＵＣＩは、前記アップリンクサブフレーム中の複数のスロットのうちの１つにのみマッピングされる、請求項１０に記載の装置。
【請求項１９】
メモリと、
前記メモリに結合された少なくとも１つのプロセッサとを備え、前記少なくとも１つのプロセッサは、
復調基準信号（ＤＭ−ＲＳ）オーバーヘッド低減方式をアップリンクサブフレームのために適用するかどうかを決定することと、
前記ＤＭ−ＲＳオーバーヘッド低減方式が前記アップリンクサブフレームのために適用されるかどうかに基づいて、前記アップリンクサブフレームのためにアップリンク制御情報（ＵＣＩ）送信方式を選択することと、ここにおいて、前記ＤＭ−ＲＳオーバーヘッド低減方式が適用されないとき、第１のＵＣＩ送信方式が選択され、前記ＤＭ−ＲＳオーバーヘッド低減方式が適用されるとき、第２のＵＣＩ送信方式が選択される、
前記選択されたＵＣＩ送信方式を使用して、前記アップリンクサブフレーム中で前記ＵＣＩを送信することと
を行うように構成され、ここにおいて、
前記第１のＵＣＩ送信方式が、前記第２のＵＣＩ送信方式とは異なるオフセット構成を備える、または
前記第１のＵＣＩ送信方式が、前記アップリンクサブフレーム中での物理アップリンク制御チャネル（ＰＵＣＣＨ）と物理アップリンク共有チャネル（ＰＵＳＣＨ）との同時送信を備えず、前記第２のＵＣＩ送信方式が、前記アップリンクサブフレーム中での前記ＰＵＣＣＨと前記ＰＵＳＣＨとの同時送信を備える
のうちの少なくとも１つである、ワイヤレス通信のための装置。
【請求項２０】
前記少なくとも１つのプロセッサは、前記ＤＭ−ＲＳオーバーヘッド低減方式の指示を受信するようにさらに構成され、ここにおいて、前記決定は、前記ＤＭ−ＲＳオーバーヘッド低減方式の前記指示に基づく、請求項１９に記載の装置。
【請求項２１】
前記ＤＭ−ＲＳオーバーヘッド低減方式が適用されるとき、前記第１のＵＣＩ送信方式は、前記アップリンクサブフレーム中での前記ＰＵＣＣＨと前記ＰＵＳＣＨとの同時送信を備えず、前記第２のＵＣＩ送信方式は、前記アップリンクサブフレーム中での前記ＰＵＣＣＨと前記ＰＵＳＣＨとの同時送信を備える、
ここにおいて、前記ＵＣＩの１つまたは複数の部分は、前記ＰＵＣＣＨ、前記ＰＵＳＣＨ、またはその両方の中で送信される、請求項１９に記載の装置。
【請求項２２】
前記第１のＵＣＩ送信方式は、前記第２のＵＣＩ送信方式とは異なるオフセット構成を備え、前記第２のＵＣＩ送信方式は、前記ＤＭ−ＲＳオーバーヘッド低減方式に関連する構成オフセットに基づいて、ＵＣＩ送信のために前記アップリンクサブフレーム中でリソースを割り振ることを備える、請求項１９に記載の装置。
【請求項２３】
前記アップリンクサブフレーム中でＵＣＩ送信のために割り振られた前記リソースは、前記ＰＵＳＣＨを搬送するリソースを備える、請求項２２に記載の装置。
【請求項２４】
前記ＤＭ−ＲＳオーバーヘッド低減方式を適用すべきかどうかを決定することは、
ランダムアクセス応答許可に関連する物理アップリンク共有チャネル（ＰＵＳＣＨ）が前記アップリンクサブフレーム中で送信されるか、
半永続的スケジューリング（ＳＰＳ）が前記アップリンクサブフレーム中の前記ＰＵＳＣＨに適用されるか、
非周期チャネル状態情報（Ａ−ＣＳＩ）のみが、前記アップリンクサブフレーム中の前記ＰＵＳＣＨ上で送信するようにトリガされるか、
前記アップリンクサブフレーム中でのＰＵＳＣＨ送信がダウンリンク制御情報（ＤＣＩ）フォーマット０によってスケジュールされるか、
ランク３以上のＰＵＳＣＨが前記アップリンクサブフレーム中で送信されるか、または
これらの組合せであるとき、前記ＤＭ−ＲＳオーバーヘッド低減方式を適用しないと決定することを備える、請求項１９に記載の装置。
【請求項２５】
前記ＵＣＩは、チャネル品質インジケータ（ＣＱＩ）、プリコーディング行列インジケータ（ＰＭＩ）、スケジューリング要求（ＳＲ）、肯定応答（ＡＣＫ）、否定応答（ＮＡＣＫ）、プリコーディングタイプインジケータ（ＰＴＩ）、またはランクインジケータ（ＲＩ）のうちの少なくとも１つを備える、請求項１９に記載の装置。
【請求項２６】
第１のＵＣＩ送信方式は、前記第２のＵＣＩ送信方式とは異なるオフセット構成を備え、前記少なくとも１つのプロセッサは、第２のアップリンクサブフレームのためのオーバーヘッド低減がない前記ＤＭ−ＲＳ方式の指示を受信するようにさらに構成され、前記ＵＣＩ送信方式は、オーバーヘッド低減がない前記ＤＭ−ＲＳ方式に関連する構成オフセットに基づいて、ＵＣＩ送信のために前記第２のアップリンクサブフレーム中でリソースを割り振ることを備える、請求項１９に記載の装置。
【請求項２７】
前記ＵＣＩは、前記アップリンクサブフレーム中の複数のスロットのうちの１つにのみマッピングされる、請求項１９に記載の装置。
【請求項２８】
復調基準信号（ＤＭ−ＲＳ）オーバーヘッド低減方式をアップリンクサブフレームのために適用するかどうかを決定することと、
前記ＤＭ−ＲＳオーバーヘッド低減方式が前記アップリンクサブフレームのために適用されるかどうかに基づいて、前記アップリンクサブフレームのためにアップリンク制御情報（ＵＣＩ）送信方式を選択することと、ここにおいて、前記ＤＭ−ＲＳオーバーヘッド低減方式が適用されないとき、第１のＵＣＩ送信方式が選択され、前記ＤＭ−ＲＳオーバーヘッド低減方式が適用されるとき、第２のＵＣＩ送信方式が選択される、
前記選択されたＵＣＩ送信方式を使用して、前記アップリンクサブフレーム中で前記ＵＣＩを送信することと
を行うためのコードを備えるコンピュータ実行可能コードを記憶し、ここにおいて、
前記第１のＵＣＩ送信方式が、前記第２のＵＣＩ送信方式とは異なるオフセット構成を備える、または
前記第１のＵＣＩ送信方式が、前記アップリンクサブフレーム中での物理アップリンク制御チャネル（ＰＵＣＣＨ）と物理アップリンク共有チャネル（ＰＵＳＣＨ）との同時送信を備えず、前記第２のＵＣＩ送信方式が、前記アップリンクサブフレーム中での前記ＰＵＣＣＨと前記ＰＵＳＣＨとの同時送信を備える
のうちの少なくとも１つである、非一時的なコンピュータ可読媒体。
【国際調査報告】
2017514366.tif 000014
2017514366.tif 000015
2017514366.tif 000016